(57)【要約】【課題】  用途に応じた情報処理機能を容易に実現することができ、機能変更等による管理コストの増大を抑制することも可能な半導体装置を提供する。【解決手段】  演算機能設定部１０４には、演算部１０２が有する複数種類の演算機能のうちの何れの機能を有効にするかを示す情報として、当該半導体装置の品番やバージョンなどの当該半導体装置に固有の情報が保持される。演算機能制御部１０５は、演算部１０２が保持した情報に応じ、演算部１０２の所定の演算機能が有効になるように機能制御する。【選択図】  図１
2006128975.tif 000002
【特許請求の範囲】
【請求項１】
１つの半導体基板上に回路が形成されて成る半導体装置であって、
複数種類の情報処理機能を有する演算部と、
当該半導体装置の内部に保持され当該半導体装置を特定する装置特定情報に応じて、前記演算部における前記複数種類の情報処理機能のうちの少なくとも１つを有効にするか無効にするかの機能制御を行う機能制御部と、
を備えたことを特徴とする半導体装置。
【請求項２】
請求項１の半導体装置であって、
前記装置特定情報は、当該半導体装置の品番、または当該半導体装置のバージョンの値であることを特徴とする半導体装置。
【請求項３】
１つの半導体基板上に回路が形成されて成る半導体装置であって、
複数種類の情報処理機能を有する演算部と、
半導体装置の外部から少なくとも一部が暗号化されて入力される機能動作許可情報に応じて、前記演算部における前記複数種類の情報処理機能のうちの少なくとも１つを有効にするか無効にするかの機能制御を行う機能制御部と、
を備えたことを特徴とする半導体装置。
【請求項４】
請求項３の半導体装置であって、
前記機能制御部は、当該半導体装置にあらかじめ保持された認証データと、前記機能動作許可情報とに基づいて、前記機能制御を行うことを特徴とする半導体装置。
【請求項５】
請求項３の半導体装置であって、
前記機能動作許可情報は、前記複数種類の情報処理機能のうちの少なくとも１つを特定する機能特定情報を含み、
前記機能制御部は、前記演算部が有する複数の情報処理機能のうち、前記機能特定情報に応じた情報処理機能を有効にすることを特徴とする半導体装置。
【請求項６】
１つの半導体基板上に回路が形成されて成る半導体装置であって、
複数種類の情報処理機能を有する演算部と、
半導体装置の外部から送信される機能動作許可情報に応じて、前記演算部における前記複数種類の情報処理機能のうちの少なくとも１つを有効にするか無効にするかの機能制御を行う機能制御部と、
当該半導体装置を特定する装置特定情報を半導体装置の外部に送信するとともに、前記装置特定情報に応じて半導体装置の外部から送信される機能動作許可情報を受信する通信部を備え、
前記機能制御部は、前記通信部によって受信された機能動作許可情報に応じて、前記機能制御を行うことを特徴とする半導体装置。
【請求項７】
請求項６の半導体装置であって、
前記機能動作許可情報の少なくとも一部が暗号化されていることを特徴とする半導体装置。
【請求項８】
請求項３および請求項７のうちの何れか１項の半導体装置であって、
機能動作許可情報の暗号化、または暗号化された機能動作許可情報の復号化に用いる鍵情報は、
固定的に定められた鍵情報、または前記演算部が有するプログラムの全部もしくは一部であることを特徴とする半導体装置。
【請求項９】
請求項１から請求項８のうちの何れか１項の半導体装置であって、
前記情報処理機能は、符号化処理および復号化処理のうちの少なくとも一方を含むことを特徴とする半導体装置。
【発明の詳細な説明】
【技術分野】
【０００１】
本発明は、例えば画像データや音声データに対する符号化や復号化などの複数種類の演算機能を有し、入力されたデータに対して何れかの演算を行う半導体装置に関するものである。
【背景技術】
【０００２】
画像データや音声データは、デジタルデータ化され、例えば画像データであればＭＰＥＧ−２（Ｍｏｖｉｎｇ  Ｐｉｃｔｕｒｅ  Ｅｘｐｅｒｔｓ  Ｇｒｏｕｐ）やＭＰＥＧ−４等の方式、また音声データであればＤｏｌｂｙ  Ｄｉｇｉｔａｌ、ＤＴＳ（Ｄｉｇｌｔａｌ  Ｔｈｅａｔｅｒ  Ｓｙｓｔｅｍ）、ＭＰＥＧ  Ａｕｄｉｏ、ＭＰＥＧ  ＡＡＣ（Ａｄｖａｎｃｅｄ  Ａｕｄｉｏ  Ｃｏｄｉｎｇ）、ロスレス符号化方式であるＰａｃｋｅｄ  ＰＣＭ、または情報量を削減しないＰＣＭ方式等の高能率符号化処理により情報量が削減された後に多重化され、ＤＶＤ（Ｄｉｇｉｔａｌ  Ｖｅｒｓａｔｉｌｅ  Ｄｉｓｃ）ディスクなどの記録媒体に記録されたり、またはデジタルテレビ放送やインターネットを介して伝送されている（Ｄｏｌｂｙ  Ｄｉｇｉｔａｌは米Ｄｏｌｂｙ社の登録商標である。また、ＤＴＳは米Ｄｉｇｌｔａｌ  Ｔｈｅａｔｅｒ  Ｓｙｓｔｅｍの登録商標である。）。
【０００３】
前記のようなアプリケーションに対応するために、画像データや音声データの符号化方式には種々の方式があり、例えば、画像データ等を符号化して記録するＤＶＤレコーダや、ＤＶＤディスクに記録されている画像データ等を復号化して再生するＤＶＤプレーヤ等には、その用途に応じた符号化、または復号化機能を有する半導体装置が設けられている。
【０００４】
図４は、上記のような半導体装置４００の構成を示すブロック図である。同図に示すように、半導体装置４００は、入力部４０１、演算部４０２、および出力部４０３を備えて構成され、例えば、ＤＶＤディスクに記録された信号を復号化し、半導体装置４００の外部に出力するようになっている。
【０００５】
入力部４０１は、符号化され、多重化され、ＤＶＤディスクに記録された信号が入力されるようになっている。
【０００６】
演算部４０２は、その演算機能の一部として、入力部４０１から入力された信号を所定の復号化機能により復号化し、画像データと音声データに変換して出力するＡＶデコード部として動作するようになっている。
【０００７】
出力部４０３は、演算部４０２が復号化した画像データと音声データとを本半導体装置の外部に出力するようになっている。
【０００８】
前記のような半導体装置４００では、例えば符号化、または復号化のためのプログラムを外部から入れ替えることによって、必要な符号化、または復号化処理を実現している。
【０００９】
また、プログラムの全て、または一部を内部に持ち合わせるようにした半導体装置もある。
【００１０】
また、画像データや音声データの符号化、復号化方式の中には、その方式の開発元によるライセンスが必要なものがあり、前記半導体装置の用途に応じて、プログラムを削除したり変更したりしているものもある。
【００１１】
また、パスワードによる認証を行うことによって、許可されたユーザのみが半導体装置を使用して符号化等ができるようにしたものがある（例えば、特許文献１を参照。）。
【特許文献１】特開平５−５６０３５号公報（図１）
【発明の開示】
【発明が解決しようとする課題】
【００１２】
しかしながら、画像データ、および音声データの符号化方式の数が増え、半導体装置の用途も多様化し、画像データや音声データの符号化等の方式の組み合わせが増大したため、プログラムの入れ替え、削除、または変更などによって半導体装置の用途に応じた符号化等の処理を実現する半導体装置では、符号化等を行うプログラムを内部ＲＯＭ化する場合、必要な符号化等の方式に応じて半導体装置を開発し直す必要がある。また、内部ＲＯＭ化しない場合であっても、演算部の構成全体に対し変更を行う必要がある。
【００１３】
また、パスワードを用いて半導体装置の使用可否の認証を行う半導体装置は、半導体装置の用途に応じた符号化等の処理を実現する構成ではなく、やはり用途に応じて半導体装置を開発する必要がある。
【００１４】
したがって、符号化等の機能を変更するためプログラムの一部に変更が必要になった場合等には、その符号化機能を有した半導体装置（演算部）の種類の数だけ変更作業や動作の確認作業を行う必要があり、管理コストが増大しがちである。
【００１５】
本発明は、前記の問題に着目してなされたものであり、用途に応じた情報処理機能を容易に実現することができ、機能変更等による管理コストの増大を抑制することも可能な半導体装置を提供することを課題とする。
【課題を解決するための手段】
【００１６】
前記の課題を解決するため、請求項１の発明は、
１つの半導体基板上に回路が形成されて成る半導体装置であって、
複数種類の情報処理機能を有する演算部と、
当該半導体装置の内部に保持され当該半導体装置を特定する装置特定情報に応じて、前記演算部における前記複数種類の情報処理機能のうちの少なくとも１つを有効にするか無効にするかの機能制御を行う機能制御部と、
を備えたことを特徴とする。
【００１７】
また、請求項２の発明は、
請求項１の半導体装置であって、
前記装置特定情報は、当該半導体装置の品番、または当該半導体装置のバージョンの値であることを特徴とする。
【００１８】
これらにより、半導体装置の内部の状態に応じ、演算部における複数種類の情報処理機能のうちの少なくとも１つを有効にするか無効にするかの機能制御が行われる。
【００１９】
また、請求項３の発明は、
１つの半導体基板上に回路が形成されて成る半導体装置であって、
複数種類の情報処理機能を有する演算部と、
半導体装置の外部から少なくとも一部が暗号化されて入力される機能動作許可情報に応じて、前記演算部における前記複数種類の情報処理機能のうちの少なくとも１つを有効にするか無効にするかの機能制御を行う機能制御部と、
を備えたことを特徴とする。
【００２０】
これにより、半導体装置の外部から暗号化されて入力された機能動作許可情報に応じ、演算部の機能制御が行われる。また、機能動作許可情報が暗号化されることにより、使用が制限されている所定の情報報処理機能が不正に使用されるのを防止することが可能になる。
【００２１】
また、請求項４の発明は、
請求項３の半導体装置であって、
前記機能制御部は、当該半導体装置にあらかじめ保持された認証データと、前記機能動作許可情報とに基づいて、前記機能制御を行うことを特徴とする。
【００２２】
これにより、入力された機能動作許可情報が正当なものか否かが識別され、正当な機能動作許可情報に基づいて、演算部における複数種類の情報処理機能のうちの少なくとも１つを有効にするか無効にするかの機能制御が行われる。
【００２３】
また、請求項５の発明は、
請求項３の半導体装置であって、
前記機能動作許可情報は、前記複数種類の情報処理機能のうちの少なくとも１つを特定する機能特定情報を含み、
前記機能制御部は、前記演算部が有する複数の情報処理機能のうち、前記機能特定情報に応じた情報処理機能を有効にすることを特徴とする。
【００２４】
これにより、何れの情報処理機能を有効、または無効に制御するかが特定される。
【００２５】
また、請求項６の発明は、
１つの半導体基板上に回路が形成されて成る半導体装置であって、
複数種類の情報処理機能を有する演算部と、
半導体装置の外部から送信される機能動作許可情報に応じて、前記演算部における前記複数種類の情報処理機能のうちの少なくとも１つを有効にするか無効にするかの機能制御を行う機能制御部と、
当該半導体装置を特定する装置特定情報を半導体装置の外部に送信するとともに、前記装置特定情報に応じて半導体装置の外部から送信される機能動作許可情報を受信する通信部を備え、
前記機能制御部は、前記通信部によって受信された機能動作許可情報に応じて、前記機能制御を行うことを特徴とする。
【００２６】
これにより、半導体装置の外部から通信によって入力された情報応じ、演算部の機能制御が行われる。また、当該半導体装置を特定する装置特定情報を用い半導体装置を識別すれば、前記演算部における前記複数種類の情報処理機能のうちの少なくとも１つを有効にするか無効にするかの機能制御が不正に行われるのを防止できる。
【００２７】
また、請求項７の発明は、
請求項６の半導体装置であって、
前記機能動作許可情報の少なくとも一部が暗号化されていることを特徴とする。
【００２８】
また、請求項８の発明は、
請求項３および請求項７のうちの何れか１項の半導体装置であって、
機能動作許可情報の暗号化、または暗号化された機能動作許可情報の復号化に用いる鍵情報は、
固定的に定められた鍵情報、または前記演算部が有するプログラムの全部もしくは一部であることを特徴とする。
【００２９】
これらにより、機能動作許可情報が暗号化されるので、使用が制限されている所定の情報報処理機能が不正に使用されるのを防止することが可能になる。
【００３０】
また、請求項９の発明は、
請求項１から請求項８のうちの何れか１項の半導体装置であって、
前記情報処理機能は、符号化処理および復号化処理のうちの少なくとも一方を含むことを特徴とする。
【００３１】
これにより、前記半導体装置を特定する情報、または機能動作許可情報に応じ、符号化処理、または復号化処理を含む複数種類の情報処理機能のうちの少なくとも１つを有効にするか無効にするかの機能制御が行われる。
【発明の効果】
【００３２】
本発明によれば、用途に応じた情報処理機能を容易に実現することができ、機能変更等による管理コストの増大を抑制することができる。
【発明を実施するための最良の形態】
【００３３】
以下、本発明の実施形態として、ＤＶＤディスクに符号化されて記録された信号を再生するＤＶＤプレーヤに適用され、前記符号化された信号の復号化を行う、１つの半導体基板上に回路が形成されて成る半導体装置の例を図面を参照しながら説明する。
【００３４】
《発明の実施形態１》
図１は、発明の実施形態１に係る半導体装置１００の構成を示すブロック図である。同図に示すように、半導体装置１００は、入力部１０１、演算部１０２、出力部１０３、演算機能設定部１０４、および演算機能制御部１０５を備え、当該半導体装置の内部の状態に応じ、演算部１０２が有する複数種類の復号化機能のうちの少なくとも１つが有効になるように機能制御を行い、入力された信号を復号化して出力するようになっている。
【００３５】
入力部１０１は、符号化され、多重化され、ＤＶＤディスクに記録された信号が入力され、入力された信号を演算部１０２に出力するようになっている。
【００３６】
演算部１０２は、演算機能の一部として、入力された画像データ等の復号化を行う復号化機能１、および復号化機能２を有し、演算機能制御部１０５から入力された制御信号に応じて、前記復号化機能１、および復号化機能２のうちの少なくとも１つが有効にされ、入力部１０１から入力された信号に対応した前記復号化機能が有効であれば、その復号化機能により入力された信号を復号化し、画像データと音声データに変換して出力するＡＶデコード部として動作するようになっている。
【００３７】
ここで演算部１０２が持つ復号化機能１、および復号化機能２は、全てハードウェアという構成でも、全てソフトウェアという構成でも、一部ハードウェア、残りをソフトウェアという構成でも実現できる。
【００３８】
出力部１０３は、演算部１０２が復号化した画像データと音声データとを本半導体装置の外部に出力するようになっている。
【００３９】
演算機能設定部１０４は、本半導体装置を特定する情報を保持するようになっている。具体的には、例えば、バージョンレジスタの値や、半導体装置の品番などが保持される。
【００４０】
演算機能制御部１０５は、演算機能設定部１０４に設定されている値に応じ、演算部１０２の前記復号化機能１、および復号化機能２のうちの少なくとも１つが有効になるように機能制御を行うようになっている。例えば、演算機能設定部１０４が保持している値が１であれば、復号化機能１と復号化機能２の両方が有効にされ、それ以外は復号化機能１のみが有効にされる。
【００４１】
このように構成された半導体装置では、以下のようにして入力された信号が復号化され、画像データや音声データが出力される。
【００４２】
演算機能制御部１０５は、演算機能設定部１０４に保持された情報に応じ、演算部１０２の復号化機能（例えば、復号化機能１）が有効になるように制御する。演算部１０２は、入力された信号が前記復号機能１で復号化する信号である場合には、この信号を復号化し、画像データと音声データに変換し、出力部１０３を介して本半導体装置の外部に出力する。
【００４３】
前記のように、本実施形態に係る装置では、本半導体装置を特定する情報を変更するだけで、演算部の構成を変更することなく、用途に応じた復号化機能等を実現できるので、演算部の構成を統一的に使用でき、用途に応じて演算部を開発する必要がない。したがって、演算部の復号化機能の一部に変更が必要になったような場合には、一種類の演算部についてのみ変更や動作確認を行えばよく、機能変更等による管理コストの増大を抑制することが可能になる。
【００４４】
《発明の実施形態２》
発明の実施形態２に係る半導体装置２００は、実施形態１の装置のように、その装置の内部の状態に基づいて、演算部の機能制御が行われるのではなく、半導体装置の外部から入力された情報に基づいて、前記機能制御が行われる装置の例である。なお、以下の実施形態において前記実施形態１等と同様の機能を有する構成要素については、同一の符号を付して説明を省略する。
【００４５】
半導体装置２００は、図２に示すように、認証部２０３、演算部１０２、認証データ保持部２０４、認証部２０３、認証データ保持部２０４、および演算機能制御部２０５を備え、半導体装置の外部から入力された、後述する機能動作許可情報に応じ、演算部１０２の有する複数種類の復号化機能のうちの少なくとも一つが有効にされ、入力された画像データ等に応じた前記復号化機能が有効であれば、その復号化機能により復号化を行うようになっている。
【００４６】
機能動作許可情報は、演算部１０２の何れの復号化機能を有効にするか、または無効にするかを示す情報である機能特定情報と、前記機能制御を行うことを許可するパスワードとを含んで構成されている。
【００４７】
前記機能特定情報は、演算部１０２の何れの復号化機能を有効にするかを示すデータであって、暗号化して本半導体装置に入力する。その際の情報量は、演算部１０２が有する復号化機能の数より多くなるようにすることで、外部ユーザーが容易に用途以外の復号化機能を不正に使用することを防止できる。また、暗号化(復号化)に用いる鍵情報は予め決められたものでもよいし、演算部１０２の構成に応じて変更してもよい。例えば、演算部１０２の復号化機能がＲＯＭ化されたソフトウェアで構成される場合、その一部または全部を鍵情報として用いてもよい。
【００４８】
認証部２０３は、認証データ保持部２０４が保持している認証データに基づいて、入力された前記機能動作許可情報に含まれたパスワードが適正なものか否かを判定し、適正なパスワードである場合に、動作許可信号を演算機能制御部２０５に出力するようになっている。
【００４９】
演算機能制御部２０５は、認証部２０３から前記動作許可信号が入力された場合に、前記機能動作許可情報に含まれた前記機能特定情報を復号化し、復号化した機能特定情報に基づいて、演算部１０２の前記復号化機能１、および復号化機能２のうちの少なくとも１つが有効になるように機能制御を行うようになっている。例えば、復号化した前記機能特定情報の値が１であれば、復号化機能１と復号化機能２の両方を有効とし、それ以外は復号化機能１のみを有効とする。
【００５０】
このように構成された本半導体装置では、以下のようにして入力された信号が復号化され、画像データや音声データが出力される。
【００５１】
認証部２０３は、入力された前記機能動作許可情報に含まれたパスワードと認証データ保持部２０４が保持している認証データとを比較し、適正なパスワードであると判定した場合には、前記動作許可信号を演算機能制御部２０５に出力する。演算機能制御部２０５は、前記動作許可信号が入力された場合に、前記機能特定情報を復号化し、復号化した機能特定情報の値の応じ、演算部１０２の復号機能（例えば、復号化機能１）が有効になるように演算部１０２を制御する。演算部１０２は、入力された信号が前記復号機能１で復号化する信号である場合には、この信号を復号化し、画像データと音声データに変換し、出力部１０３を介して本半導体装置の外部に出力する。
【００５２】
前記のように、本実施形態においても、演算部の構成を変更することなく、用途に応じた復号化機能等を実現できるので、用途に応じて演算部を開発する必要がなく、機能変更等による管理コストの増大を抑制することが可能になる。しかも、外部からの情報を用いて前記演算部の機能制御を行うので、例えば、無効であった演算部の機能を有効に変更する場合などに、半導体装置内部の構成を変更する必要がない。また、入力する機能特定情報が暗号化されることによって、外部ユーザは、その意味を容易には解読できず、外部ユーザーに用途以外の復号化機能を不正に使用されることを防止できる。
【００５３】
なお、前記機能特定情報の少なくとも一部を暗号化したり、前記パスワードに対しても暗号化を行うようにしたりしてもよい。
【００５４】
《発明の実施形態３》
発明の実施形態３に係る半導体装置３００は、本半導体装置の外部から、例えばインターネットなどを介した通信により入力された情報に基づいて、演算機能の有効、または無効の制御が行われる装置の例である。
【００５５】
この半導体装置３００は、図３に示すように、入力部１０１、演算部１０２、出力部１０３、演算機能制御部３０５、および通信部３０６を備え、通信部３０６を介して、インターネットなどによる通信によって、本半導体装置の外部にある演算機能設定部３０４から、演算部１０２の機能制御を行うための情報が入力されるようになっている。
【００５６】
演算機能設定部３０４は、演算部１０２の何れの復号化機能を有効、または無効にするかを示す機能特定情報を暗号化して保持し、半導体装置３００に固有の情報（例えば、前記バージョンレジスタの値や、半導体装置の品番）が半導体装置３００の演算機能制御部３０５から通信により入力された場合に、前記固有の情報に応じて、暗号化して保持した前記機能特定情報を演算機能制御部３０５に出力するようになっている。その際の情報量は、演算部１０２が有する復号化機能の数より多くなるようにすることで、外部ユーザーが容易に用途以外の復号化機能を不正に使用することを防止できる。なお、機能特定情報の暗号化(復号化)に用いる鍵情報は予め決められたものでもよいし、演算部１０２の構成に応じて変更してもよい。例えば、演算部１０２がソフトウェアで構成される場合、その一部または全部を鍵情報として用いてもよい。
【００５７】
演算機能制御部３０５は、通信により前記固有の情報を演算機能設定部３０４に出力し、演算機能設定部３０４から暗号化されて入力された機能特定情報を復号化し、復号化した値に応じて、演算部１０２の前記復号化機能１、および復号化機能２のうちの少なくとも１つが有効になるように機能制御をするようになっている。
【００５８】
このように構成された本半導体装置では、以下のようにして入力された信号が復号化され、画像データや音声データが出力される。
【００５９】
演算機能制御部３０５は、通信によって演算機能設定部３０４から入力された機能特定情報に応じ、演算部１０２の復号化機能（例えば、復号化機能１）が有効になるように制御する。演算部１０２は、入力された信号が前記復号機能１で復号化する信号である場合には、この信号を復号化し、画像データと音声データに変換し、出力部１０３を介して本半導体装置の外部に出力する。
【００６０】
前記のように、本実施形態においても、演算部の構成を変更することなく、用途に応じた復号化機能等を実現できるので、用途に応じて演算部を開発する必要がなく、機能変更等による管理コストの増大を抑制することが可能になる。
【００６１】
しかも、伝送路を介して出力した本半導体装置に固有の情報に応じて演算部を制御するための情報が入力されるので、ユーザーに用途以外の復号化機能を不正に使用されることを防止したり、また、新たに所定の復号化機能を許可したユーザに対しては、機能の制限を解除（機能の拡張）することが容易に可能になる。また、入力する機能特定情報が暗号化されることによって、外部ユーザは、その意味を容易には解読できず、外部ユーザーに用途以外の復号化機能を不正に使用されることを防止できる。
【００６２】
なお、前記の各実施形態は、復号化を行う半導体装置だけではなく、例えばＤＶＤレコーダなどに用いられ、符号化を行う半導体装置などの所定の演算を行い、演算された信号を出力する半導体装置に適用してもよい。
【００６３】
また、前記の各実施形態は、ＤＶＤプレーヤでＤＶＤディスクに記録されている信号を復号化する例を説明したが、これに限らず、例えばデジタルテレビ放送などの通信を利用した画像音声配信などで行われる復号化等に対して適用してもよく、種々の演算処理を行う半導体装置に適用することができる。
【００６４】
また、前記の各実施形態においては、復号化機能１と復号化機能２の２つの機能を挙げて説明したが、機能の数はこれに限定されない。
【００６５】
また、実施形態２や実施形態３においては、前記機能特定情報等を暗号化する装置の例を説明したが、暗号化はしなくても、複数種類の復号化機能のうちの少なくとも１つが有効、または無効になるように機能制御を行うこと自体は可能である。
【産業上の利用可能性】
【００６６】
本発明に係る半導体装置は、用途に応じた情報処理機能を容易に実現することができ、機能変更等による管理コストの増大を抑制することができるという効果を有し、例えば画像データや音声データに対する符号化や復号化などの複数種類の演算機能を有し、入力されたデータに対して何れかの演算を行う半導体装置等として有用である。
【図面の簡単な説明】
【００６７】
【図１】本発明の実施形態１の半導体装置の構成を示すブロック図である。
【図２】本発明の実施形態２の半導体装置の構成を示すブロック図である。
【図３】本発明の実施形態３の半導体装置の構成を示すブロック図である。
【図４】従来の半導体装置の構成を示すブロック図である。
【符号の説明】
【００６８】
１００      半導体装置
１０１      入力部
１０２      演算部
１０３      出力部
１０４      演算機能設定部
１０５      演算機能制御部
２００      半導体装置
２０３      認証部
２０４      認証データ保持部
２０５      演算機能制御部
３００      半導体装置
３０４      演算機能設定部
３０５      演算機能制御部
４００      半導体装置
４０１      入力部
４０２      演算部
４０３      出力部
【図１】
2006128975.tif 000003
【図２】
2006128975.tif 000004
【図３】
2006128975.tif 000005
【図４】
2006128975.tif 000006